(57)【要約】【課題】  上下方向の厚さの薄い電子楽器において、バックロードホーン式のスピーカ装置を用いて良好な楽音を発生させる。【解決手段】  複数の鍵からなる鍵盤１２を備えた電子楽器は、上下方向の長さを左右方向及び前後方向の長さよりも短くし、内部に空気振動を伝搬させる音道を設けたキャビネット２０と、正面側をキャビネット２０の外側に向けるとともに、背面側をキャビネット２０の内側であって音道の手前に設けた空間に向けてキャビネット２０に組み付けたスピーカユニット３０とで構成されて、スピーカユニット３０による空気振動を音道に導き、かつ音道を伝搬した空気振動を外部に導くようにしたバックロードホーン式のスピーカ装置を備えている。スピーカ装置は、鍵盤１２の上面と平行に配置されている。【選択図】  図２
2017068193.tif 000002
【特許請求の範囲】
【請求項１】
複数の鍵からなる鍵盤を備え、前記複数の鍵の押鍵操作により楽音を発生する電子楽器において、
上下方向の長さを左右方向及び前後方向の長さよりも短くし、内部に空気振動を伝搬させる音道を設けたキャビネットと、
正面側を前記キャビネットの外側に向けるとともに、背面側を前記キャビネットの内側であって前記音道の手前に設けた空間に向けて前記キャビネットに組み付けたスピーカユニットとで構成されて、
前記スピーカユニットによる空気振動を前記音道に導き、かつ前記音道を伝搬した空気振動を外部に導くようにしたバックロードホーン式のスピーカ装置を、
前記鍵盤の上面と平行に配置したことを特徴とする電子楽器。
【請求項２】
前記請求項１のように構成した一つのスピーカ装置のキャビネット部を、左右方向の長さが前後方向の長さよりも大きくなるように構成して、前記一つのスピーカ装置の左右方向が前記複数の鍵の配列方向となるように配置した電子楽器。
【請求項３】
前記請求項１のようにそれぞれ構成した二つのスピーカ装置を、前記鍵盤の右側部分と左側部分に配置した電子楽器。
【請求項４】
前記スピーカユニットを前記キャビネットの上面に組み付けた請求項１乃至３のうちのいずれか一つに記載の電子楽器。
【請求項５】
前記スピーカ装置を前記鍵盤の下方に配置し、かつ
前記複数の鍵の押離鍵操作を検出する電気スイッチを設けた電気回路基板を、前記鍵盤と前記スピーカ装置の間に配置した請求項１乃至４のいずれか一つに記載の電子楽器。
【発明の詳細な説明】
【技術分野】
【０００１】
本発明は、バックロードホーン式のスピーカ装置を組付けた電子楽器に関する。
【背景技術】
【０００２】
従来から、下記特許文献１に示されているように、バックロードホーン式のスピーカ装置を組み付けた電子楽器は知られている。この電子楽器においては、スピーカユニットが、その正面側を上方に向けるとともに、その背面側を下方に向けて、上方に位置する電子楽器本体側に組み付けられている。そして、電子楽器本体を支持する側板内に上方から下方に延設されたホーン部を設け、スピーカユニットによる空気振動をホーン部を介して下方に伝搬させ、側板の下端部から楽音を発生させるようにしている。
【先行技術文献】
【特許文献】
【０００３】
【特許文献１】特開平２−２９７９０号公報
【発明の概要】
【０００４】
上記従来の電子楽器によれば、スピーカユニットが小さくても、充分な音量の低音を発生、すなわち良好な楽音を発生させることができる。しかしながら、上記従来のバックロードホーン式のスピーカ装置を、側板を有さない電子楽器には組み付けることはできない。具体的には、電子鍵盤ハーモニカ、一段の鍵盤のみを備えた小型の電子楽器等の上下方向の厚さの薄い電子楽器には、バックロードホーン式のスピーカ装置を組み付けることはできない。また、小型の電子楽器では、通常小さなスピーカ装置を採用しているので、良好な楽音を発生させることができない。
【０００５】
本発明は、前述した問題に対処するためになされたもので、その目的は、上下方向の厚さの薄い電子楽器において、バックロードホーン式のスピーカ装置を用いて良好な楽音を発生させることにある。なお、下記本発明の各構成要件の記載においては、本発明の理解を容易にするために、実施形態の対応箇所の符号を括弧内に記載しているが、本発明の構成要件は、実施形態の符号によって示された対応箇所の構成に限定解釈されるべきものではない。
【０００６】
上記の目的を達成するため、本発明の特徴は、複数の鍵からなる鍵盤（１２，４２）を備え、複数の鍵の押鍵操作により楽音を発生する電子楽器において、上下方向の長さを左右方向及び前後方向の長さよりも短くし、内部に空気振動を伝搬させる音道を設けたキャビネット（２０，５０Ａ，５０Ｂ）と、正面側をキャビネットの外側に向けるとともに、背面側をキャビネットの内側であって音道の手前に設けた空間に向けてキャビネットに組み付けたスピーカユニット（３０，６０Ａ，６０Ｂ）とで構成されて、スピーカユニットによる空気振動を音道に導き、かつ音道を伝搬した空気振動を外部に導くようにしたバックロードホーン式のスピーカ装置を、鍵盤の上面と平行に配置したことにある。
【０００７】
この場合、例えば、前記のように構成した一つのスピーカ装置のキャビネット部を、左右方向の長さが前後方向の長さよりも大きくなるように構成して、前記一つのスピーカ装置の左右方向が複数の鍵の配列方向となるように配置するとよい。また、前記のようにそれぞれ構成した二つのスピーカ装置を、鍵盤の右側部分と左側部分に配置してもよい。また、スピーカユニットをキャビネットの上面に組み付けるとよい。さらに、キャビネットは、例えば直方体形状である。
【０００８】
前記のように構成した本発明においては、スピーカユニットを組み付けたキャビネットの上下方向の長さを左右方向及び前後方向の長さよりも短くして、バックロードホーン式のスピーカ装置を鍵盤の上面と平行に配置するようにした。これにより、電子鍵盤ハーモニカ、一段の鍵盤のみを備えた小型の電子楽器等の上下方向の厚さの薄い電子楽器にも、バックロードホーン式のスピーカ装置を組み付けることができる。その結果、バックロードホーン式のスピーカ装置を組み付けた電子楽器を実現できる。そして、バックロードホーン式のスピーカ装置により、小型の電子楽器においても良好な楽音を発生できるようになる。
【０００９】
また、本発明の他の特徴は、スピーカ装置を鍵盤の下方に配置し、複数の鍵の押離鍵操作を検出する電気スイッチを設けた電気回路基板を、鍵盤とスピーカ装置の間に配置したことにある。これによれば、電気スイッチを設けた電気回路基板（１８，４８）及びバックロードホーン式のスピーカ装置を、電子楽器の前後方向の長さを長くすることなく、小型の電子楽器内に的確に組み込むことができる。
【図面の簡単な説明】
【００１０】
【図１】本発明の第１実施形態に係る電子鍵盤ハーモニカの概略斜視図である。
【図２】図１の電子鍵盤ハーモニカにおける操作子、鍵盤、電気回路基板及びバックロードホーン式のスピーカ装置の概略配置図である。
【図３】図２のスピーカ装置の上面図である。
【図４】図２のスピーカ装置の右側面図である。
【図５】図２のスピーカ装置をスピーカユニットの下方にて横断した横断面図である。
【図６】スピーカユニットの概略断面図である。
【図７】図２のスピーカ装置の等価図である。
【図８】本発明の第２実施形態に係る電子鍵盤楽器の概略斜視図である。
【図９】図８の電子鍵盤楽器における操作子、鍵盤、電気回路基板及びバックロードホーン式のスピーカ装置の概略配置図である。
【図１０】図９の左側のスピーカ装置の上面図である。
【図１１】図９の電子鍵盤楽器に組み込まれた左側のスピーカ装置をスピーカユニットの下方にて横断した横断面図である。
【図１２】第２実施形態の変形例に係る電子鍵盤楽器の概略斜視図である。
【発明を実施するための形態】
【００１１】
ａ．第１実施形態
以下、本発明の第１実施形態について図面を用いて説明する。図１は、本発明の第１実施形態に係る電子鍵盤ハーモニカの概略斜視図である。図２は、電子鍵盤ハーモニカにおける各部品の概略配置図である。
【００１２】
この電子鍵盤ハーモニカ及び後述する第２実施形態に係る電子鍵盤楽器と、それらに含まれる各種部品の以下の説明においては、左右方向、前後方向及び上下方向は次の定義によるものとする。電子鍵盤ハーモニカ及び電子鍵盤楽器を鍵盤１２，４２を上にして卓上に置き、鍵盤１２，４２の手前側に演奏者が位置して演奏する状態を想定する。なお、電子鍵盤ハーモニカにおいても、後述する吹口１４部分にチューブを接続し、演奏者がチューブの他端から息を吹き込むようにする場合には、前記のような演奏状態がある。そして、演奏者から見て向かって左側（図１及び図８の左側）を左側とし、右側（図１及び図８の右側）を右側とする。演奏者に近い側（図１及び図８の左下側）を前側とし、遠い側（図１及び図８の右上側）を後側とする。鍵盤１２，４２が配置されている上面側を上側とし、その対向側（卓上側）を下側とする。なお、この左右、前後、上下の表現は前述したような演奏状態における場合の例であって、演奏状態が異なる場合、特に電子鍵盤ハーモニカを手で持って演奏する場合には、左右、前後及び上下の位置関係が変化することは言うまでもない。
【００１３】
電子鍵盤ハーモニカは、直方体状のケース１１を備えている。ケース１１は、左右方向の長さを前後方向の長さに比べてかなり長くして左右方向に長尺状に形成され、かつ上下方向の長さを前後方向の長さに比べて短くして上下方向に薄く形成されている。ケース１１の上面部には、左右方向に沿って配置された複数の白鍵及び黒鍵からなる鍵盤１２が組み付けられている。ケース１１の上面の鍵盤１２の後方には、音色、音量などの楽音要素を指定する複数の操作子１３が設けられている。ケース１１の左側面には、演奏者が口で銜えて息を吹き込むための吹口１４が設けられている。
【００１４】
ケース１１の上面左側部分には、楽音を外部に発生させるための円形の貫通孔が設けられており、貫通孔の上面は網１５により覆われている。なお、網１５に代えて、ケース１１の上面左側部分に多数の小さな貫通孔を設けるようにしてもよい。ケース１１の右側面は楽音を外部に発生させるために解放されており、右側面部分には網１６が設けられている。なお、この場合も、網１６に代えて、ケース１１の右側面部分に多数の小さな貫通孔を設けるようにしてもよいし、右側面を単に開口させておいてもよい。また、ケース１１内には、網１５の下方位置にて、楽音に対応した空気振動を外部へ導くための、上端面及び下端面を開放させて上方に向けて広がる円錐状の壁１７（図２参照）が設けられている。
【００１５】
ケース１１内には、図２の配置図に示すように、ケース１１の底板上にキャビネット２０が固定されている。すなわち、キャビネット２０は、鍵盤１２の上面と平行かつ鍵盤１２の下方に配置されている。キャビネット２０は、スピーカユニット３０を組み付けて、本発明に係るバックロードホーン式のスピーカ装置を構成するものである。また、ケース１１内には、鍵盤１２とキャビネット２０の間に、電気回路基板１８が組み付けられている。電気回路基板１８は、樹脂などにより、左右方向に長尺状の長方形状であって平板状に形成されている。電気回路基板１８の上面には、複数の鍵の押離鍵操作を検出するための図示しない複数の電気スイッチが複数の鍵のそれぞれ下方にて左右方向に沿って配置されて固定されているとともに、楽音信号を発生させるための楽音信号発生器が固定されている。また、ケース１１内には、吹口１４から吹き込まれた空気圧（息圧）を検出するための図示しない空気圧センサも設けられている。そして、楽音信号発生器は、複数の電気スイッチによって押鍵検出された鍵に対応した音高の楽音信号を、空気圧センサによって検出された空気圧に応じた音量で発生する。
【００１６】
キャビネット２０は、図３及び図４のスピーカ装置の上面図及び右側面図に示すように、上ケース２１と底板２２とからなる直方体形状である。このキャビネット２０においては、本第１実施形態では、前後方向の長さＬ１が６０ｍｍであり、左右方向の長さＬ２が３６０ｍｍであり、上下方向の長さＬ３が２１ｍｍである。すなわち、キャビネット２０においては、左右方向の長さが前後方向の長さよりも長く、かつ上下方向の長さが前後方向の長さよりも短く、上下方向に比較的薄い。
【００１７】
上ケース２１は、樹脂により一体成型され、それぞれ平板状かつ長方形に形成されて、互いに直交する上壁２１ａ、前壁２１ｂ、後壁２１ｃ及び左壁２１ｄを有する。底板２２は、樹脂により、平板状かつ上ケース２１の上壁２１ａと同一形状である長方形に形成されている。そして、底板２２は、その上面に、上ケース２１の前壁２１ｂ、後壁２１ｃ、左壁２１ｄ及び後述する仕切り板２１ｅ１〜２１ｅ８の下端面を密着させて、接着剤により上ケース２１の下面に固着されている。したがって、キャビネット２０内には、右側のみを外部に開放させ直方体状の空間が形成されている。そして、右側の解放させた開口は、ケース１１の右側面に設けた網１６に対向している。
【００１８】
上ケース２１には、図５の横断面図に示すように、平板状かつ長方形の仕切り板２１ｅ１〜２１ｅ８が上ケース２１と一体成型されて設けられている。仕切り板２１ｅ１，２１ｅ２は、上壁２１ａ及び前壁２１ｂの両内側面から直角方向に延設されており、それらの下端面を底板２２の上面上に位置させ、それらの後端面を後壁２１ｃの前方に位置させている。仕切り板２１ｅ２は、仕切り板２１ｅ１の右方に位置する。
【００１９】
仕切り板２１ｅ３〜２１ｅ５は、上壁２１ａ及び後壁２１ｃの両内側面から直角方向に延設されており、それらの下端面を底板２２の上面上に位置させ、それらの前端面を前壁２１ｂの後方に位置させている。仕切り板２１ｅ３は、左壁２１ｄと仕切り板２１ｅ１の左右方向中間に位置し、仕切り板２１ｅ４は仕切り板２１ｅ１と仕切り板２１ｅ２の左右方向中間に位置し、仕切り板２１ｅ５は仕切り板２１ｅ２と底板２２の右端の左右方向中間に位置する。
【００２０】
仕切り板２１ｅ６は、上壁２１ａの内側面から直角方向に延設されるとともに、左壁２１ｄの内側面から右方向に右側を若干前方に傾けて延設されており、その下端面を底板２２の上面上に位置させている。仕切り板２１ｅ６は、仕切り板２１ｅ３の前端面よりも後方に位置し、その右端面は仕切り板２１ｅ３の左方に位置する。
【００２１】
仕切り板２１ｅ７は、上壁２１ａの内側面から直角方向に延設されるとともに、仕切り板２１ｅ３の前端面から左右方向に右側を若干後方に傾けて延設されており、その下端面を底板２２の上面上に位置させている。仕切り板２１ｅ７の仕切り板２１ｅ３よりも左側部分は、前壁２１ｂと仕切り板２１ｅ６の前後方向中間に位置し、その左端面は左壁２１ｄの右方に位置する。仕切り板２１ｅ７の仕切り板２１ｅ３よりも右側部分は、前壁２１ｂの後方に位置し、その右端面は仕切り板２１ｅ１の左方に位置する。
【００２２】
仕切り板２１ｅ８は、上壁２１ａの内側面から直角方向に延設されるとともに、仕切り板２１ｅ１の後端面から左方向に左側を後方に傾けて延設されており、その下端面を底板２２の上面上に位置させている。仕切り板２１ｅ８は、仕切り板２１ｅ７と後壁２１ｃの前後方向中間に位置し、その左端面は仕切り板２１ｅ３の右方に位置する。
【００２３】
このような仕切り板２１ｅ１〜２１ｅ８により、上壁２１ａと底板２２との間には、図５にて矢印で示すように、仕切り板２１ｅ６の右端面と仕切り板２１ｅ３の左側面との間の位置から前壁２１ｂ及び後壁２１ｃの右端面までに渡って徐々に広がる空気通路が形成されている。この空気通路が、スピーカユニット３０による空気振動を伝搬させる空気通路であり、この空気通路を本明細書では音道Ｓ１という。この音道Ｓ１は、キャビネット２０が鍵盤１２における複数の鍵の配列方向に長尺状に形成されているので、複数の鍵の配列方向を長手方向としている。そして、音道Ｓ１の全長は、本第１実施形態では９０ｃｍである。また、仕切り板２１ｅ６の右端面と仕切り板２１ｅ３の左側面との間の位置が音道Ｓ１の入口であり、前壁２１ｂ及び後壁２１ｃの右端面の位置が音道Ｓ１の出口である。
【００２４】
また、音道Ｓ１の入口の手前には、後壁２１ｃ、左壁２１ｄ及び仕切り板２１ｅ３，２１ｅ６で囲まれた領域（正確には、後壁２１ｃ、左壁２１ｄ、仕切り板２１ｅ３、及び仕切り板２１ｅ６を仕切り板２１ｅ３まで延長した平面で囲まれた領域）には、略方形状の空間が形成されている。この空間を本明細書では空気室Ｓ２という。この空気室Ｓ２の容積は、本第１実施形態では２２ｃｍ３である。そして、この空気室Ｓ２と前記音道Ｓ１により、キャビネット２０内にスピーカユニット３０のホーン部が形成される。このようなホーン部により、スピーカユニット３０による上下方向の空気振動は空気室Ｓ２で９０度曲げられて水平方向の振動となり、空気振動は鍵盤１２における複数の鍵の配列方向を長手方向とする音道Ｓ１を介して複数の鍵の配列方向に伝搬する。
【００２５】
この空気室Ｓ２に対向する上壁２１ａの位置すなわち上壁２１ａの左端部位置には、円形の貫通孔２１ａ１（図６参照）が形成されている。貫通孔２１ａ１が位置する上壁２１ａの部分には、スピーカユニット３０が組み付けられている。また、この貫通孔２１ａ１及びスピーカユニット３０の上面は、ケース１１に設けた円錐状の壁１７の開口下端面に対向している（図２参照）。スピーカユニット３０は、図６の拡大縦断面図に示すように、シャーシ３１、ヨーク３２、マグネット３３、ボビン３４、コイル３５及びコーン３６を備えている。
【００２６】
シャーシ３１は、環状に形成した底面部３１ａと、底面部３１ａの外周端部から上方に突出した円筒部３１ｂと、円筒部３１ｂの上方に設けられて環状に形成された環状部３１ｃと、円筒部３１ｂと環状部３１ｃを連結する長尺状の複数の連結部３１ｄとを有する。複数の連結部３１ｄは、円筒部３１ｂの上端部における周方向の複数の位置から斜め上方に向けてそれぞれ延設されて、環状部３１ｃの内周面における周方向の複数の位置にそれぞれ接続されている。複数の連結部３１ｄ間には空間が設けられており、コーン３６の背面側を外部に開放させている。
【００２７】
ヨーク３２は、円盤状に形成された円盤部３２ａと、円盤部３２ａの中央位置にて上方に突出した円柱状の突出部３２ｂとを有する。ヨーク３２は、円盤部３２ａの下面にてシャーシ３１の底面部３１ａの上面に固定され、突出部３２ｂを上方に突出させている。マグネット３３は、所定の厚さを有する環状に形成されて、上下方向にＮ極とＳ極に磁化されている。マグネット３３は、その下面にてヨーク３２の円盤部３２ａの上面に固定され、外周面をシャーシ３１の円筒部３１ｂの内周面に当接させ、その中央の貫通孔にヨーク３２の突出部３２ｂを貫通させている。このマグネット３３は、磁束密度が高くて非常に強い磁力をもつネオジムマグネットである。この磁束密度は、本第１実施形態では１．９Ｎ／Ａである。
【００２８】
ボビン３４は、円筒状に形成され、その下端面を開放させて、その内部にヨーク３２の突出部３２ｂを侵入させている。ボビン３４の上端面は、上面壁３４ａにより閉ざされている。ボビン３４の下部外周面上には、コイル３５が巻き回されている。このコイル３５には、図示しない導線が接続されて、前述した電気回路基板１８上に設けた楽音信号発生器からの楽音信号（電気信号）が供給されるようになっている。また、ボビン３４の外周面には、環状に形成されたダンパ３７がその内周面にて固定されている。ダンパ３７は、その外周面にてシャーシ３１の円筒部３１ｂの上端部内周面に固定されている。このダンパ３７は、弾力性を有する膜状の弾性部材で構成され、径方向に向かって波のように上下交互に曲げて形成されており、ボビン３４のシャーシ３１に対する上下方向の変位を許容する。したがって、ボビン３４及びコイル３５は、ダンパ３７を介してシャーシ３１及びヨーク３２に上下方向に変位可能に支持されている。ダンパ３７の強さは、本第１実施形態では１．１６Ｎ／ｍｍである。
【００２９】
コーン３６は、弾性変形する薄膜の平板状部材で円錐状に形成され、円形の内周面部から外周面部に向かって、外側を上方に傾けて延設されている。コーン３６の内周端部はボビン３４の上端部外周面上に固着され、コーン３６の外周端部はシャーシ３１の環状部３１ｃの内周面上に固着されている。コーン３６の内周端部の近傍には、上方に突出した球面を有する円盤状のセンターキャップ３８の外周端部が固着されており、ボビン３４の上面壁３４ａの上方が閉ざされている。本第１実施形態では、コーン３６の重さは０．４ｇであり、コーン３６の直径は１．９ｃｍである。
【００３０】
このように構成されたスピーカユニット３０は、コーン３６の正面側（図６の上側）を上方に向けて、上ケース２１の上壁２１ａに設けた円形の貫通孔２１ａ１内に上方から挿入される。そして、シャーシ３１の環状部３１ｃの下面を、貫通孔２１ａ１の外側の上壁２１ａの上面に密着させ、環状部３１ｃを上壁２１ａの上面にねじ又は接着剤により密着固定する。これにより、スピーカユニット３０は、キャビネット２０の上壁２１ａに固定される。
【００３１】
このように構成したスピーカ装置においては、楽音信号発生器からの楽音信号である電気信号をコイル３５に供給すれば、ボビン３４がシャーシ３１及びヨーク３２に対して、すなわちキャビネット２０に対して図４及び図６で示す上下方向に振動する。このボビン３４の上下方向の振動によりコーン３６も上下方向に振動し、コーン３６は空気を振動させる。コーン３６の振動によるスピーカユニット３０の正面側の空気振動は、キャビネット２０の上方外部に伝搬されて、空気振動による楽音がキャビネット２０の上側から上方に向けて発生される。そして、この楽音は、ケース１１に設けた円錐状の壁１７の内側を通り、網１５を介してケース１１の上方から電子鍵盤ハーモニカによる楽音として外部に発音される。
【００３２】
一方、コーン３６の振動によるスピーカユニット３０の背面側の空気振動は、空気室Ｓ２で９０度曲げられて音道Ｓ１の入口から音道Ｓ１に入り、鍵盤１２における複数の鍵の配列方向を長手方向とする音道Ｓ１を伝搬して、音道Ｓ１の出口すなわちキャビネット２０の右方外部に伝搬されて、空気振動による楽音がキャビネット２０の右側から右方に向けて発生される。そして、入口から出口に向かうに従って広げられている音道Ｓ１を伝搬する空気振動の状態を、図７にスピーカ装置の等価図として示している。前記キャビネット２０の右側から発生された楽音は、ケース１１の右側面に設けた網１６を介して、ケース１１の右方から電子鍵盤ハーモニカによる楽音として外部に発音される。
【００３３】
上記のように構成した電子鍵盤ハーモニカにおいては、スピーカユニット３０を組み付けたキャビネット２０の上下方向の長さを左右方向及び前後方向の長さよりも短くして、バックロードホーン式のスピーカ装置を鍵盤１２の下方に配置するようにした。これにより、上下方向の厚さすなわち鍵盤１２に直交する方向の厚さの薄い電子鍵盤ハーモニカにおいても、バックロードホーン式のスピーカ装置を組み付けることができる。その結果、バックロードホーン式のスピーカ装置を組み付けた電子鍵盤ハーモニカを実現できて、バックロードホーン式のスピーカ装置により良好な楽音を発生できるようになる。また、上記電子鍵盤ハーモニカにおいては、スピーカユニット３０を組み付けたキャビネット２０を鍵盤１２の下方に配置し、電気回路基板１８を鍵盤１２とキャビネット２０の間に配置した。これにより、電気回路基板１８及びキャビネット２０を電子鍵盤ハーモニカ内に的確に組み込むことができる。
【００３４】
また、上記スピーカ装置においては、マグネット３３として磁束密度が高くて非常に強い磁力をもつネオジムマグネットを用いたので、コーン３６の直径（外径）を小さくすることができ（本第１実施形態では１．９ｃｍにすることができ）、スピーカユニット３０を極めて小さくかつ軽くできる。そして、スピーカユニット３０を極めて小さくかつ軽く、特にコーン３６を軽くしたので、高域の位相特性が良好になり、キレのある音が得られる。
【００３５】
また、音道Ｓ１の全長を短くし（本第１実施形態では９０ｃｍにし）、かつ空気室Ｓ２の容積を小さくして（本第１実施形態では２２ｃｍ３にして）、キャビネット２０を小さくした。これにより、スピーカ装置を極めて小型化することができる。また、前記のように、空気室Ｓ２を小さくして、低域から中域すなわち１００Ｈｚから１ＫＨｚまでの音を出力するようにした。これにより、音のダイナミックレンジを広くすることができるともに、音量も大きくすることができる。例えば、６ｄＢ以上の音量を得ることができるようになる。
【００３６】
ｂ．第２実施形態
次に、上記第１実施形態の電子鍵盤ハーモニカのような吹口を有さない小型の電子鍵盤楽器に本発明を適用した第２実施形態について図面を用いて説明する。図８は、前記小型の電子鍵盤楽器の概略斜視図である。図９は、電子鍵盤楽器における各部品の概略配置図である。この第２実施形態の説明における左右方向、前後方向及び上下方向に関しては、上記定義した通りである。
【００３７】
電子鍵盤楽器は、直方体状のケース４１を備えている。ケース４１は、上記第１実施形態と同様に、左右方向の長さを前後方向の長さに比べてかなり長くして左右方向に長尺状に形成され、かつ上下方向の長さを前後方向の長さに比べて短くして上下方向に薄く形成されている。ただし、ケース４１の前後方向の長さは、上記第１実施形態のケース１１の前後方向長さよりも若干長い。ケース４１の上面部には、左右方向に沿って配置された複数の白鍵及び黒鍵からなる鍵盤４２が組み付けられている。ケース４１の上面の鍵盤４２の後方には、音色、音量などの楽音要素を指定する複数の操作子４３が設けられている。  
【００３８】
ケース１１の上面における左側部分及び右側部分には、楽音を外部に発生させるための方形状の貫通孔がそれぞれ設けられており、これらの貫通孔の上面は網４４，４５によりそれぞれ覆われている。なお、この場合も、網４４，４５に代えて、ケース４１の上面における左側部分及び右側部分に多数の小さな貫通孔をそれぞれ設けるようにしてもよい。ケース４１の後面の中央位置下部にも、楽音を外部に発生させるために長方形状の開口が設けられており、この中央位置には、図示しない網が設けられている。なお、この場合も、網に代えて、ケース４１の後面の中央位置下部に多数の小さな貫通孔を設けてもよいし、前記後面の中央位置下部を単に開口させておいてもよい。また、ケース４１内には、網４４，４５の下方位置にて、上記第１実施形態の場合と同様に、楽音に対応した空気振動を外部へ導くための、上端面及び下端面を開放させて上方に向けて広がる円錐状の壁４６，４７（図９参照）がそれぞれ設けられている。
【００３９】
ケース４１内には、図９の配置図に示すように、ケース４１の底板上の左側部分にキャビネット５０Ａが固定され、ケース４１の底板上の右側部分にキャビネット５０Ｂが固定されている。すなわち、キャビネット５０Ａは、鍵盤４２の上面と平行かつ鍵盤４２の下方に配置されている。キャビネット５０Ａ，５０Ｂは、上記第１実施形態の場合と同様に、スピーカユニット６０Ａ，６０Ｂをそれぞれ組み付けて、本発明に係るバックロードホーン式のスピーカ装置を構成するものである。また、ケース４１内には、鍵盤４２とキャビネット５０Ａ，５０Ｂの間に、電気回路基板４８が組み付けられている。電気回路基板４８は、上記第１実施形態の場合と同様に、左右方向に長尺状の長方形状であって平板状に形成され、電気回路基板４８の上面には複数の鍵にそれぞれ対応した複数の電気スイッチ及び楽音信号発生器が固定されている。この第２実施形態では、楽音信号発生器は、複数の鍵の押離鍵操作に応じて、複数の電気スイッチによって押鍵検出された鍵に対応した音高の楽音信号を発生する。
【００４０】
キャビネット５０Ａは、図１０のスピーカ装置の上面図に示すように、上記第１実施形態のキャビネット２０と同様な上ケース５１と底板５２（図１１参照）とからなる直方体形状である。このキャビネット５０Ａにおいても、左右方向の長さが前後方向の長さよりも長く、かつ上下方向の長さが前後方向の長さよりも短い。ただし、キャビネット５０Ａにおいては、左右方向の長さが上記第１実施形態の場合よりもかなり短く、かつ前後方向の長さが上記第１実施形態の場合よりも若干長い。キャビネット５０Ａの上下方向の長さは上記第１実施形態の場合とほぼ同じであり、上記第１実施形態の場合と同様に、上下方向に比較的薄い。
【００４１】
上ケース５１は、樹脂により一体成型され、それぞれ平板状かつ長方形に形成されて、互いに直交する上壁５１ａ、前壁５１ｂ、後壁５１ｃ、左壁５１ｄ及び右壁５１ｅを有する。底板５２（図１１参照）は、平板状かつ上ケース５１の上壁５１ａと同一形状である長方形に形成されている。そして、底板５２は、その上面に、上ケース５１の前壁５１ｂ、後壁５１ｃ、左壁５１ｄ、右壁５１ｅ及び後述する仕切り板５１ｆ１〜５１ｆ６の下端面を密着させて、接着剤により上ケース５１の下面に固着されている。したがって、キャビネット５０Ａ内には、直方体状の空間が形成されている。また、後壁５１ｃの右側部分には長方形状の開口部５１ｃ１が形成され、開口部５１ｃ１はケース４１の後面に設けた網（開口）の左側部分に対向している。
【００４２】
上ケース５１には、図１１の横断面図に示すように、平板状かつ長方形の仕切り板５１ｆ１〜５１ｆ６が上ケース５１と一体成型されて設けられている。仕切り板５１ｆ１は、上壁５１ａ及び前壁５１ｂの両内側面から直角方向に延設されており、その下端面を底板５２の上面上に位置させ、その後端面を後壁５１ｃの前方に位置させている。仕切り板５１ｆ２は、上壁５１ａ及び後壁５１ｃの両内側面から直角方向に延設されており、その下端面を底板５２の上面上に位置させ、その前端を前壁５１ｂの後方に位置させている。仕切り板５１ｆ２は、仕切り板５１ｆ１の右方に位置する。仕切り板５１ｆ３は、上壁５１ａ及び右壁５１ｅの両内側面から直角方向に延設されており、その下端面を底板５２の上面上に位置させ、その左端面を仕切り板５１ｆ２の右方に位置させている。
【００４３】
仕切り板５１ｆ４は、上壁５１ａの内側面から直角方向に延設されるとともに、仕切り板５１ｆ２の中間位置から左方向に延設されており、その下端面を底板５２の上面上に位置させている。仕切り板５１ｆ４は後壁５１ｃと仕切り板５１ｆ１の後端面の前後方向中間に位置し、その左端は左壁５１ｄの右方に位置する。仕切り板５１ｆ５は、上壁５１ａの内側面から直角方向に延設されるとともに、仕切り板５１ｆ４の左端部から前方に延設されており、その下端面を底板５２の上面上に位置させている。仕切り板５１ｆ５は左壁５１ｄと仕切り板５１ｆ１の左右方向中間に位置し、その前端面は前壁５１ｂの後方に位置する。仕切り板５１ｆ６は、上壁２１ａの内側面から直角方向に延設されるとともに、仕切り板５１ｆ２の前端部から右方に延設されており、その下端面を底板５２の上面上に位置させている。仕切り板５１ｆ６は前壁５１ｂと仕切り板５１ｆ３の前後方向中間に位置し、その右端面は右壁５１ｅの左方に位置する。
【００４４】
このような仕切り板５１ｆ１〜５１ｆ６により、上壁５１ａと底板５２との間には、図１０にて矢印で示すように、仕切り板５１ｆ４の左端と左壁５１ｄの内側面との間の位置から後壁５１ｃに設けた開口部５１ｃ１までに渡って徐々に広がる空気通路が形成されている。この空気通路が、スピーカユニット６０Ａによる空気振動を伝搬させる空気通路であって、上述した音道Ｓ１である。この電子鍵盤楽器においても、キャビネット５０Ａの左右方向の長さは、上記第１実施形態の場合よりは短いが、前後方向の長さよりも長いので、この音道Ｓ１は、鍵盤１２における複数の鍵の配列方向に長尺状に形成されている。そして、仕切り板５１ｆ４の左端と左壁５１ｄの内側面との間の位置が音道Ｓ１の入口であり、開口部５１ｃ１が音道Ｓ１の出口である。この音道Ｓ１は、入口から出口に向かうに従って広くなっている。
【００４５】
また、音道Ｓ１の入口の手前には、後壁５１ｃ、左壁５１ｄ及び仕切り板５１ｆ２，５１ｆ４で囲まれた領域（正確には、後壁５１ｃ、左壁５１ｄ、仕切り板５１ｆ２、及び仕切り板５１ｆ４を左壁５１ｄまで延長した平面で囲まれた領域）には、略方形状の空間が形成されている。この空間が空気室Ｓ２である。そして、この場合も、音道Ｓ１と空気室Ｓ２によりスピーカユニット６０Ａのホーン部が形成され、スピーカユニット６０Ａによる上下方向の空気振動は空気室Ｓ２で９０度曲げられて水平方向の振動となり、空気振動は鍵盤１２における複数の鍵の配列方向を長手方向とする音道Ｓ１を介して複数の鍵の配列方向に伝搬する。
【００４６】
この空気室Ｓ２に対向する上壁５１ａの位置には、円形の貫通孔が形成されている。そして、この貫通孔が位置する上壁５１ａの部分に、スピーカユニット６０Ａが組み付けられている。また、この貫通孔及びスピーカユニット６０Ａの正面側（上面）は、ケース４１に設けた円錐状の壁４６の開口下端面に対向している（図９参照）。スピーカユニット６０Ａの構成及びキャビネット５０Ａへの組み付けに関しては、上記第１実施形態のスピーカユニット３０の場合と同じであるので、それらの説明を省略する。
【００４７】
次に、キャビネット５０Ｂについて説明する。キャビネット５０Ｂは、前述したキャビネット５０Ａを左右対称に構成したものであるので、図面を省略するとともに同じ部分に関してもその説明を省略する。なお、キャビネット５０Ｂは、キャビネット５０Ａの右側にて、鍵盤４２の上面と平行かつ鍵盤４２の下方に配置されている。このキャビネット５０Ｂにおいては、音道Ｓ１の出口すなわちキャビネット５０Ｂの後壁に設けた開口部は、キャビネット５０Ｂの後壁の左側に位置し、ケース４１の後面に設けた網（開口）の右側部分に対向している。また、空気室Ｓ２はキャビネット５０Ｂの右側端部に位置し、ケース４１に設けた円錐状の壁４７の開口下端面に対向している。
【００４８】
この空気室Ｓ２に対向するキャビネット５０Ｂの上壁の位置には、円形の貫通孔が形成されている。この貫通孔が位置する上壁の部分に、スピーカユニット６０Ｂが組み付けられている。そして、この貫通孔及びスピーカユニット６０Ｂの正面側（上面）は、ケース４１に設けた円錐状の壁４７の開口下端面に対向している（図９参照）。スピーカユニット６０Ｂの構成及びキャビネット５０Ｂへの組み付けに関しては、上記第１実施形態のスピーカユニット３０の場合と同じであるので、それらの説明を省略する。
【００４９】
このように構成したスピーカ装置においては、楽音信号発生器からの楽音信号である電気信号をスピーカユニット６０Ａ，６０Ｂ内のコイルにそれぞれ供給すれば、上記第１実施形態の場合と同様に、空気振動による楽音がキャビネット５０Ａ，５０Ｂの上側から上方に向けて発生される。そして、この楽音は、ケース４１に設けた円錐状の壁４６，４７の内側を通り、網４４，４５を介してケース４１の上方から電子鍵盤楽器による楽音として外部に発音される。
【００５０】
一方、スピーカユニット６０Ａ，６０Ｂの背面側の空気振動も、上記第１実施形態の場合と同様に、空気室Ｓ２を介して音道Ｓ１の入口から音道Ｓ１にそれぞれ入り、音道Ｓ１を伝搬して、音道Ｓ１の出口すなわちキャビネット５０Ａの後壁５１ｃに設けた開口部５１ｃ１及びキャビネット５０Ｂの後壁に設けた開口部から後方外部にそれぞれ伝搬されて、空気振動による楽音がキャビネット５０Ａ，５０Ｂの後側から後方に向けてそれぞれ発生される。キャビネット５０Ａ，５０Ｂの後側から発生された楽音は、ケース４１の後側面に設けた網を介して、ケース４１の後方から電子鍵盤楽器による楽音として外部に発音される。
【００５１】
上記のように構成した電子鍵盤楽器においても、スピーカユニット６０Ａ，６０Ｂをそれぞれ組み付けたキャビネット５０Ａ，５０Ｂの上下方向の長さを左右方向及び前後方向の長さよりも短くして、バックロードホーン式のスピーカ装置を鍵盤４２の下方に配置するようにした。これにより、上下方向の厚さすなわち鍵盤１２に直交する方向の厚さの薄い小型の電子鍵盤楽器においても、バックロードホーン式のスピーカ装置を組み付けることができる。その結果、バックロードホーン式のスピーカ装置を組み付けた電子鍵盤楽器を実現できて、バックロードホーン式のスピーカ装置により良好な楽音を発生できるようになる。また、上記第２実施形態では、２つのスピーカユニット６０Ａ，６０Ｂを設けるようにしたので、ステレオで楽音を発生させることができる。また、上記電子鍵盤楽器においても、スピーカユニット６０Ａ，６０Ｂを組み付けたキャビネット５０Ａ，５０Ｂを鍵盤４２の下方に配置し、電気回路基板４８を鍵盤４２とキャビネット５０Ａ，５０Ｂの間に配置した。これにより、電気回路基板４８及びキャビネット５０Ａ，５０Ｂを電子鍵盤楽器内に的確に組み込むことができる。
【００５２】
また、上記第２実施形態においても、バックロードホーン式のスピーカ装置を、音道を有するキャビネット５０Ａ，５０Ｂに上記第１実施形態と同様なスピーカユニット６０Ａ,６０Ｂを組み付けて構成した。したがって、上記第２実施形態によっても、上記第１実施形態の場合と同様に、高域の位相特性が良好になってキレのある楽音が得られるとともに、楽音のダイナミックレンジを広くすることができて音量も大きくすることができる。
【００５３】
ｃ．変形例
なお、本発明に係る電子楽器は、上述した第１及び第２実施形態に限定されるものでなく、本発明の技術的範囲内で適宜変更することができる。
【００５４】
上記第１実施形態の電子鍵盤ハーモニカにおいては、音道Ｓ１の出口をキャビネット２０の右側としたが、上記第２実施形態の場合と同様に、キャビネット２０における音道Ｓ１の出口を上ケース２１の後壁２１ｃ側に設けて、電子鍵盤ハーモニカのケース１１の後側面から音道Ｓ１を介して楽音を発生させるようにしてもよい。また、電子鍵盤ハーモニカにおいては、手で持って演奏する場合もあり、むしろ多くの場合、手で持って演奏されるので、スピーカユニット３０の正面側をケース１１の下側に向けるようにしてもよい。
【００５５】
また、上記第２実施形態においては、スピーカユニット６０Ａ，６０Ｂを組み付けたキャビネット５０Ａ，５０Ｂを鍵盤４２の直下に配置するようにした。しかし、これに代えて、キャビネット５０Ａ，５０Ｂを鍵盤４２の後方に配置してもよい。この場合、具体的には、図１２に示すように、電子鍵盤楽器のケース４１の前後方向の長さを長くして、図示破線で示すように、キャビネット５０Ａ，５０Ｂを鍵盤４２の後方に配置する。キャビネット５０Ａ，５０Ｂの上下方向の位置は、鍵盤４２の下方でも、鍵盤４２と同等な高さでもよいが、鍵盤４２の上面と平行に配置する。スピーカユニット６０Ａ，６０Ｂを含むキャビネット５０Ａ，５０Ｂの構成自体は同じである。そして、キャビネット５０Ａ，５０Ｂの上ケース５１に設けた開口部５１ｃ１が、ケース４１の後面に設けた網（開口）に対向している。この場合、操作子４３は鍵盤４２の左側に設けられている。また、操作子４３を鍵盤４２の右側に設けてもよい。なお、キャビネット５０Ｂについては、この変形例においても、符号を省略している。このように構成した変形例でも、上下方向の厚さの薄いキャビネット５０Ａ，５０Ｂは鍵盤４２の上面と平行に配置されているので、上記電子鍵盤楽器の上下方向の高さを低く抑えることができる。
【００５６】
また、前記図１２の変形例においては、キャビネット５０Ａの右端とキャビネット５０Ｂの左端は近接している（ほぼ当接している）が、キャビネット５０Ａの右端とキャビネット５０Ｂの左端との間に隙間を設けて、キャビネット５０Ａ，５０Ｂを配置してもよい。また、この変形例に係るキャビネット５０Ａ，５０Ｂの位置を若干前方にずらして、キャビネット５０Ａ、５０Ｂの前部分が鍵盤４２の直下に位置し、かつキャビネット５０Ａ、５０Ｂの後部分が鍵盤４２の後方に位置するように、キャビネット５０Ａ，５０Ｂを鍵盤４２の後端部を跨ぐように配置してもよい。さらに、このようなキャビネット５０Ａ，５０Ｂの配置に関する変形は、上記第１実施形態に係る電子鍵盤ハーモニカにも、その前後幅を大きくすることができれば、適用され得る。
【００５７】
上記第１及び第２実施形態では、キャビネット２０，５０Ａ，５０Ｂの左右方向の長さを前後方向の長さよりも長くして、キャビネット２０，５０Ａ，５０Ｂ内の音道Ｓ１における左右方向の延設量を前後方向の延設量よりも大きくしている。しかし、前記図１２の変形例のように電子鍵盤楽器（又は電子鍵盤ハーモニカ）の前後方向の長さが長い場合には、キャビネット２０，５０Ａ，５０Ｂの前後方向の長さを左右方向の長さよりも長くしてもよい。この場合、例えば、図１２の電子鍵盤楽器において、鍵盤４２の左右両外側に前後方向に長尺状のキャビネット５０Ａ，５０Ｂを配置する。そして、キャビネット２０，５０Ａ，５０Ｂ内の音道Ｓ１における前後方向の延設量を左右方向の延設量よりも大きくすればよい。また、キャビネット２０，５０Ａ，５０Ｂの前後方向の長さと左右方向の長さをほぼ同じにして、キャビネット２０，５０Ａ，５０Ｂ内の音道Ｓ１における前後方向の延設量と左右方向の延設量をほぼ同じにしてもよい。
【００５８】
また、上記第１及び第２実施形態では、キャビネット２０，５０Ａ，５０Ｂ内の音道Ｓ１を左右方向及び前後方向に延設するようにしている。しかし、これらの音道Ｓ１を、左右方向及び前後方向ではなく、左右方向及び前後方向に対して所定角度だけ傾けて、例えば４５度傾けて、左右方向及び前後方向に対して斜め方向に延設させるようにしてもよい。
【００５９】
また、上記第１及び第２実施形態おいては、スピーカ装置のキャビネット２０，５０Ａ，５０Ｂを左右方向が前後方向よりも長く、上下方向が前後方向よりも短い薄型の直方体形状とし、キャビネット２０，５０Ａ，５０Ｂの上面にスピーカユニット３０，６０Ａ，６０Ｂを設け、スピーカユニット３０，６０Ａ，６０Ｂを上面に向けた状態での使用形態を例示した。しかし、これに限らず、スピーカユニット３０，６０Ａ，６０Ｂを側面に向けた状態や下面に向けた状態で使用してもよい。また、キャビネット２０，５０Ａ，５０Ｂの形状や、スピーカユニット３０，６０Ａ，６０Ｂを配置するキャビネット２０，５０Ａ，５０Ｂの面は、例示したものに限らない。例えば、キャビネット２０，５０Ａ，５０Ｂの形状は直方体でなくてもよいし、スピーカユニット３０，６０Ａ，６０Ｂはキャビネット２０，５０Ａ，５０Ｂの側面に配置してもよい。これらの場合には、キャビネット２０，５０Ａ，５０Ｂ内の音道Ｓ１を通らないスピーカユニット３０，６０Ａ，６０Ｂからの直接の楽音は、電子鍵盤ハーモニカ及び電子鍵盤楽器の側面、下面などから発生される。
【００６０】
さらに、上記第１実施施形態に係る電子鍵盤ハーモニカ及び上記第２実施施形態に係る電子鍵盤において、スピーカユニット３０，６０Ａ，６０Ｂの正面側からの楽音を、壁１７，４６，４７の内側を通過させずに、電子鍵盤ハーモニカのケース１１及び電子鍵盤楽器のケース４１の上面から直接的に発生させるようにしてもよい。これらの場合、空気室Ｓ２が位置する部位におけるキャビネット２０，５０Ａ，５０Ｂの各種の壁を上方まで伸ばして、スピーカユニット３０，６０Ａ，６０Ｂを音道Ｓ１が含まれるキャビネット２０，５０Ａ，５０Ｂの部位よりも高くし、壁１７，４６，４７を省略すればよい。
【符号の説明】
【００６１】
１１，４１…ケース、１２，４２…鍵盤、１８，４８…電気回路基板、２０，５０Ａ，５０Ｂ…キャビネット、２１…上ケース、２１ａ…上壁、２１ａ１…貫通孔、２１ｂ…前壁、２１ｃ…後壁、２１ｄ…左壁、２１ｅ１〜２１ｅ８，５１ｆ１-５１ｆ６…仕切り板、２２…底板、３０，６０Ａ，６０Ｂ…スピーカユニット、３１…シャーシ、３２…ヨーク、３３…マグネット、３４…ボビン、３５…コイル、３６…コーン、３７…ダンパ、３８…センターキャップ、Ｓ１…音道、Ｓ２…空気室
【図１】
2017068193.tif 000003
【図２】
2017068193.tif 000004
【図３】
2017068193.tif 000005
【図４】
2017068193.tif 000006
【図５】
2017068193.tif 000007
【図６】
2017068193.tif 000008
【図７】
2017068193.tif 000009
【図８】
2017068193.tif 000010
【図９】
2017068193.tif 000011
【図１０】
2017068193.tif 000012
【図１１】
2017068193.tif 000013
【図１２】
2017068193.tif 000014